(57)【要約】【課題】試料の複数の基準位置からの相対的な高さを簡易に検出できる技術を提供する。【解決手段】高さ検出装置は、複数の基準位置の何れかに配置された試料にパターンを投影し、試料から反射されたパターンに基づいて試料の基準位置からの高さを検出する高さ検出装置であって、それぞれがパターンを有する空間的に分離された複数の光線を生成して試料に投影する投影光学系と、試料から反射したパターンを撮像する撮像素子と、試料から反射したパターンを撮像素子へ導く検出光学系と、複数の光線に対応する複数の光路のうち、光路長が最短のものとは異なる光路上であって複数の光線が空間的に分離された位置に配置された少なくとも一つの光路長補正部材と、を備える。【選択図】図１
2019190903.tif 000002
【特許請求の範囲】
【請求項１】
複数の基準位置の何れかに配置された試料にパターンを投影し、前記試料から反射された前記パターンに基づいて前記試料の基準位置からの高さを検出する高さ検出装置であって、
それぞれが前記パターンを有する空間的に分離された複数の光線を生成して前記試料に投影する投影光学系と、
前記試料から反射した前記パターンを撮像する撮像素子と、
前記試料から反射した前記パターンを前記撮像素子へ導く検出光学系と、
前記複数の光線に対応する複数の光路のうち、光路長が最短のものとは異なる光路上であって前記複数の光線が空間的に分離された位置に配置された少なくとも一つの光路長補正部材と、
を備える高さ検出装置。
【請求項２】
請求項１に記載の高さ検出装置であって、
前記検出光学系は、前記複数の光路から入射した光線を一つの前記撮像素子に向けて出射する、
高さ検出装置。
【請求項３】
請求項１に記載の高さ検出装置であって、
前記投影光学系は、複数のスリットからなるスリット群によって前記パターンを有する光線を生成する、
高さ検出装置。
【請求項４】
請求項１に記載の高さ検出装置であって、
前記投影光学系は、スリットによって前記複数の光線を生成する、
高さ検出装置。
【請求項５】
請求項１に記載の高さ検出装置であって、
前記投影光学系は、前記複数の光線をハーフミラーによって分離して生成する、
高さ検出装置。
【請求項６】
請求項２に記載の高さ検出装置であって、
前記検出光学系は、ウエッジ基板を有する、
高さ検出装置。
【請求項７】
請求項１に記載の高さ検出装置であって、
前記光路長補正部材は、透明な材料で形成され、互いに平行な入射面と出射面とを有する、
高さ検出装置。
【請求項８】
請求項１に記載の高さ検出装置であって、
前記光路長補正部材は、透明な材料で形成され、反射面を有するプリズムである、
高さ検出装置。
【請求項９】
請求項７に記載の高さ検出装置であって、
前記光路長補正部材は、ガラスロッドである、
高さ検出装置。
【請求項１０】
請求項１に記載の高さ検出装置であって、
前記光路長補正部材内を伝播する光線の光路長ｄＰは、前記光路長が最短の光路と前記光路長補正部材が配置された光路との光路差をΔとした場合に、以下の式で算出される、
高さ検出装置。
【数１】
2019190903.tif 000006
【請求項１１】
請求項１に記載の高さ検出装置であって、
前記光路長補正部材は、前記試料に対して前記投影光学系側の位置と前記試料に対して前記検出光学系側の位置とに配置されている、
高さ検出装置。
【請求項１２】
請求項１に記載の高さ検出装置を有する荷電粒子線装置。
【発明の詳細な説明】
【技術分野】
【０００１】
本開示は、光学的に試料の高さを検出する高さ検出装置およびそれを備える荷電粒子線装置に関する。
【背景技術】
【０００２】
試料に電子ビーム等の荷電粒子ビームを照射することによって二次的に得られる荷電粒子を検出する荷電粒子線装置がある。荷電粒子線装置では、試料に照射する荷電粒子ビームの焦点を試料に合わせる必要がある。
【０００３】
荷電粒子ビームの焦点を試料に合わせる作業は精度を要するため、荷電粒子ビームを照射して撮影画像を観察しながら試料台の高さの微妙な調整を行う。その際、焦点合わせの処理時間を短くするために、荷電粒子ビームで焦点合わせをする前に、試料の高さを光学的な方法ですばやく検出し、荷電粒子ビームによる焦点合わせ処理を短縮する。
【０００４】
特許文献１には、２次元スリット光を試料に投影し、試料からの反射光を検出し、検出された２次元スリット像から試料の高さを検出する光学式高さ検出方法が記載されている。
【先行技術文献】
【特許文献】
【０００５】
【特許文献１】特開２００７−１３２８３６号公報
【発明の概要】
【発明が解決しようとする課題】
【０００６】
ところで、荷電粒子線装置では、画像の解像度を上げるためには試料に照射する荷電粒子ビームのエネルギーを高くする必要がある。しかしながら、例えば、半導体ウェハといった試料に開いた深い穴または溝を詳細に観察するために荷電粒子ビームのエネルギーを高くすると、荷電粒子ビームを試料上に収束させる磁場の大きさに限界があるために、試料上で荷電粒子ビームを一点に集中させることができなくなる。
【０００７】
この点、荷電粒子ビームが焦点を結ぶ位置が、ビームが伝播する方向（即ち、ビーム発射装置から見て試料よりも奥側）に離れる。つまり、ある値よりも大きなエネルギーの荷電粒子ビームは、磁場で集光することに限界があり、荷電粒子ビームのエネルギーに応じて焦点位置が変化することになる。
【０００８】
しかしながら、従来の光学式高さ検出装置は、ある一つの焦点位置を基準とした高さ検出装置であり、複数の焦点位置に対して高さを検出できる必要性が考慮されてなかった。したがって、磁場で集光できる限界よりも荷電粒子ビームのエネルギーを大きくし、焦点位置が変化した場合に、単一の光学式高さ検出装置で試料の高さを調節することができなかった。
【０００９】
本開示は、上記の点に鑑みてなされたものであり、試料の複数の基準位置からの相対的な高さを簡易に検出できる技術を提供する。
【課題を解決するための手段】
【００１０】
上記課題を解決するために、複数の基準位置の何れかに配置された試料にパターンを投影し、前記試料から反射された前記パターンに基づいて前記試料の基準位置からの高さを検出する高さ検出装置であって、それぞれが前記パターンを有する空間的に分離された複数の光線を生成して前記試料に投影する投影光学系と、前記試料から反射した前記パターンを撮像する撮像素子と、前記試料から反射した前記パターンを前記撮像素子へ導く検出光学系と、前記複数の光線に対応する複数の光路のうち、光路長が最短のものとは異なる光路上であって前記複数の光線が空間的に分離された位置に配置された少なくとも一つの光路長補正部材と、を備える高さ検出装置を提供する。
【発明の効果】
【００１１】
本開示によれば、試料の複数の基準位置からの相対的な高さを簡易に検出できる。上記以外の課題、構成および効果は、以下の実施の形態の説明により明らかにされる。
【図面の簡単な説明】
【００１２】
【図１】第１の実施形態の光学式高さ検出装置が適用された電子顕微鏡の基本構成を示す図である。
【図２】投影光学系の具体的な構成を示す図である。
【図３】検出光学系の具体的な構成を示す図である。
【図４】光学式高さ検出装置の全体を説明するための図である。
【図５】光線の光路が光路長補正部材によって変化する様子を示す図である。
【図６】第１の実施形態の変形例の光学式高さ検出装置を説明するための図である。
【図７】第２の実施形態の光学式高さ検出装置を説明するための図である。
【図８】第３の実施形態の光学式高さ検出装置を説明するための図である。
【発明を実施するための形態】
【００１３】
以下、図面に基づいて、本開示の実施形態を説明する。なお、本開示の実施形態は、後述する実施形態に限定されるものではなく、その技術思想の範囲において、種々の変形が可能である。また、後述する各実施形態の説明に使用する各図の対応部分には同一の符号を付して示し、重複する説明を省略する。
【００１４】
図１は、第１の実施形態の光学式高さ検出装置が適用された電子顕微鏡１の基本構成を示す図である。図１には、一次電子線１００のエネルギーに応じて、試料５０が位置Ｌ１またはＬ２にあることが示されている。電子顕微鏡１では、電子源２から放出された一次電子線１００が試料５０に照射されると、二次電子（試料自体から放出される電子）および反射電子等の二次粒子１０１が放出される。
【００１５】
＜第１の実施形態＞
簡単のため、図１には、試料５０が位置Ｌ１にある場合の一次電子線１００および二次粒子１０１の軌跡が示されている。なお、信号粒子制限板６に衝突した後の粒子を三次粒子と呼ぶこともあるが、説明を簡略化するため、試料５０から放出されてシンチレータ５に入射するまでの粒子を二次粒子と呼ぶことにする。
【００１６】
上述のとおり、二次粒子１０１は信号粒子制限板６に衝突してから、シンチレータ５に入射する。本明細書においてシンチレータ５とは、荷電粒子線が入射して発光する素子を指すものとする。シンチレータ５は、実施例に示されたものに限定されず、様々な形状および構造をとることができる。本実施形態では、外形が円柱状であるシンチレータ５を例にとって説明する。
【００１７】
シンチレータ５に二次粒子１０１が入射するとシンチレータ５で発光が起こる。シンチレータ５で生じた光は、ライトガイド３により導光され、受光素子４で電気信号に変換される。以下、シンチレータ５、ライトガイド３および受光素子４を合わせて検出系と呼ぶこともある。検出系は、図示しないコンピュータと接続されており、受光素子４で得られた電気信号は、電子線照射位置と対応付けて画像に変換され表示部（図示せず）に表示される。このコンピュータは、例えば、周知の画像解析アルゴリズムを実行して試料の高さを算出することができる。
【００１８】
なお、図１において、一次電子線１００を試料に集束して照射するための電子光学系（即ち、偏向器、レンズ、絞り、対物レンズ等）は省略されている。電子光学系は、磁場を一次電子線１００に印加することによって電子線の進行方向を制御する。電子源２から出射した電子線は、ビームの進行方向とは垂直な方向に、ある程度の広がりを持って伝播する。電子光学系は、広がりを持った電子線を集光して試料表面の１点（または、非常に小さい領域）に照射する。
【００１９】
同様に、図１において、全体および各部品の動作を制御する制御部（例えば、上記検出系と接続されたコンピュータ）、画像を表示する表示部、ユーザが電子顕微鏡の動作指示を入力する入力部等が省略されている。また、制御部は、例えば、試料５０を載せる試料ステージの高さを変更するためのアクチュエータを制御する。なお、本開示の光学式高さ検出装置は、この電子顕微鏡１以外に透過電子顕微鏡または走査透過電子顕微鏡等にも適用できる。
【００２０】
一次電子線１００の加速電圧が、ある大きさ（例えば、１０ｋｅＶなど）を超えると、電子光学系で発生させる磁場の大きさには限界があるため一次電子線１００を曲げきれなくなる。その結果、一次電子線１００の集光する位置は、電子が伝播する方向（電子源２から遠ざかる方向）へずれる。図１中の位置Ｌ１は、一次電子線が低エネルギーのとき（低加速電圧で出射したとき）の集光位置を示し、位置Ｌ２は高エネルギー（高加速電圧で出射したとき）のときの集光位置を示す。
【００２１】
以上が図１に示された電子顕微鏡１の構成についての説明である。続いて、電子顕微鏡１が備える光学式高さ検出装置について説明する。なお、第１の実施形態では、簡単のために集光位置が二箇所存在する場合を例としている。
【００２２】
上述したとおり、試料５０の高さは、その表面の位置が一次電子線１００の集光位置（焦点位置）に一致するように制御される必要がある。つまり、一次電子線１００のエネルギーが高く、電子光学系で電子を曲げきれなくなる場合、制御部は試料５０の位置が図１に示された位置Ｌ２となるようにアクチュエータを制御する。一方、一次電子線１００のエネルギーが低いときは、制御部は試料５０の位置が図１に示された位置Ｌ１となるようにアクチュエータを制御する。
【００２３】
以下に説明するとおり、本開示の光学式高さ検出装置は、当該光学式高さ検出装置に対する試料５０の位置が相対的に変化する場合であっても、単一の撮像装置で試料５０の基準位置からの高さを簡易に検出できる。試料５０と光学式高さ検出装置との相対的な位置を変化させる方法としては、光学式高さ検出装置の位置を固定して試料５０を移動させる方法と、試料５０の位置を固定して電子光学系および光学式高さ検出装置を移動させる方法とがある。以下、試料５０を移動させて光学式高さ検出装置に対する相対的な位置を変化させる場合を例にとって本実施形態を説明する。
【００２４】
電子顕微鏡１を使用する場合、ユーザは、試料５０の位置を集光位置に合わせるため、試料５０を撮像しながらピントを合わせる。試料５０の位置が焦点位置から大きくずれている場合、このピント合わせに時間がかかる。そのため、最初は光学式の高さ検出装置で高速に試料の高さを検知しておおよその高さに試料５０を配置し、次いで電子顕微鏡１の撮像画像に基づいてピントを合わせる。
【００２５】
上記の光学式高さ検出方法では、例えば、スリット像を試料５０の表面に投影し、そこで反射したスリット像を撮像素子９によって検出する。検出系と接続されたコンピュータが実行する高さ検出アルゴリズムは、撮像されたスリット像が画像内の基準位置からずれた量に基づいて試料５０の高さを検出する。
【００２６】
上記の光学式高さ検出方法を実現する光学式高さ検出装置は、投影光学系７、検出光学系８、撮像素子９および光路長補正部材１０を備える。実施形態１の光学式高さ検出装置は、集光位置Ｌ１およびＬ２を基準として、それぞれの集光位置からの相対的な高さを検出する。集光位置Ｌ１およびＬ２の高さの差ＤＬは、特に限定はしないが、例えば、約０．５〜１０ｍｍ程度である。また、各基準位置から例えば±０．１ｍｍ程度の範囲の高さは、光学式高さ検出装置によって測定する。当該光学式高さ検出装置によって高さを検出できる範囲に試料５０の高さが入るまでは、制御部が別の高さセンサを用いて試料５０を搬送するステージ（図示なし）の高さを調整する。
【００２７】
投影光学系７は二本の光線Ｒａｙ１およびＲａｙ２を出射する光学系であり、検出光学系８は試料５０で反射した光線を撮像素子９に導く光学系である。試料５０が集光位置Ｌ１にある場合は、試料５０で反射した光線Ｒａｙ１が撮像素子９に結像されるが、光線Ｒａｙ２は試料５０で反射した後は撮像素子９には届かないように、投影光学系７および検出光学系８が構成されている（例えば、反射した光線Ｒａｙ２が電子顕微鏡１を構成する部材の一つに遮光されるように構成されている）。一方、試料５０が集光位置Ｌ２にある場合は、試料５０で反射した光線Ｒａｙ２が撮像素子９に結像され、光線Ｒａｙ１は試料５０で反射した後は撮像素子９には届かないように、投影光学系７および検出光学系８が構成されている。
【００２８】
また、電子顕微鏡１において一次電子線１００が伝播する領域は真空とする必要がある。図１において、破線１０２は真空領域と大気圧領域とを分ける線である。本実施形態の電子顕微鏡１は、投影光学系７、検出光学系８および撮像素子９を大気中に配置し、真空封止窓１１を通して光線Ｒａｙ１およびＲａｙ２を試料５０に投影し、反射光を検出する。ここで、光学系は微調整が必要となることがあるため、できるだけ真空の外側に配置することが望ましい。つまり、投影光学系および検出光学系を真空の外に配置することにより、それら光学系の微調整が容易となる。
【００２９】
図２は、投影光学系７の具体的な構成を示す図である。図２（ａ）は、投影光学系７の全体的な構成を示す断面図である。レーザまたはＬＥＤ等の光源７ａから出射した光線Ｒａｙ０は、スリット部７ｂにて二本の光線Ｒａｙ１およびＲａｙ２に分けられる。二本の光線Ｒａｙ１およびＲａｙ２のそれぞれは、後述するさらに細かいスリット群Ｓ１およびＳ２によって画像パターン（スリット像）を有する光線である。以下、画像パターンを単に画像やパターンと呼ぶことがある。光源７ａから出射された二本の光線は投影レンズ系７ｃを通って、スリット像として試料に投影される。なお、図２（ａ）において破線ＯＡは光軸を表す。
【００３０】
投影光学系７から複数の光線を発する方法としては、上記の構成例の他に、例えば、複数の光源と各光源に対応させたスリットを用いる方法および複数のレーザ等の光源を用いることが考えられる。投影光学系７としては空間的に分離した複数の光線を生成できればよい。ただし、複数の光線を生成する方法としては、図２に示された一つの光源７ａから出射された光をスリット部７ｂで複数に分離する方法が、部品点数が少ないという利点を有する。さらには、当該方法は部品点数が少ないので、光学系の調整が少なく位置ずれ箇所も減ることから光学系の性能を安定させるという効果を奏する。なお、複数の光線が「空間的に分離される」とは、複数の光線のそれぞれの光路が、少なくとも部分的に、互いに空間的に重ならないことを意味する。
【００３１】
図２（ｂ）は、スリット部７ｂの正面図である。スリット部７ｂは、ガラス基板上に金属薄膜をパターン形成することによって形成された部材である。金属薄膜のない領域が、光が通る領域であり、スリットＳ（図２（ｃ））である。スリット部７ｂは、複数のスリットＳ（金属薄膜のない長方形の領域）によってスリット群Ｓ１およびＳ２を構成する。
【００３２】
スリット群Ｓ１およびＳ２はスリット部７ｂの中心を通る線ＣＬに対して対称的に配置されている。二つのスリット群Ｓ１およびＳ２の中心線ＣＳＬは中心線ＣＬから等距離ｄｓの位置にある。以下、本実施形態では、図２（ｃ）に示す長方形のスリットＳが四個並んで構成されるスリット群Ｓ１およびＳ２を例にとって説明をする。なお、本開示はスリットＳの形状およびスリット群が有するスリットの個数等を限定するものではない。
【００３３】
図１および図２において、スリット群Ｓ１を透過した光線が光線Ｒａｙ１であり、スリット群Ｓ２を透過した光線が光線Ｒａｙ２である。したがって、試料表面には四本のスリットＳの像が投影され、撮像素子９に結像される。電子顕微鏡１は、撮像素子９で得られた像（四本のスリット像）の明るさの強度分布の重心位置に基づいて試料５０の高さ検出をする。
【００３４】
高さ検出に用いる画像にはスリット像以外にも様々な画像が可能であるが、スリット像は高さ検出をするためには、最も簡単な画像の一つである。簡易な画像を用いると得られた画像から高さを検出する処理が簡易になり、計測速度が向上するという効果を奏する。
【００３５】
以下に、本実施形態において、単一のスリットではなく四本のスリットからなるスリット群Ｓ１またはＳ２を用いて高さを計測する理由を説明する。通常、試料５０の表面は反射率が均一ではなく、場所によって反射率が変化している。（例えば、試料５０が半導体ウェハである場合、配線の上とシリコンの上とでは反射率が異なる。）この反射率の不均一性は、画像の明るさの重心位置に基づいて高さ検出をする際に、誤差を生じさせる。
【００３６】
単一のスリットではなく複数のスリットを用いて高さ検出をすると、反射率分布の不均一性による高さ検出の誤差を低減することができる。これは、高さ検出は、撮像素子９で得られた像の明るさの強度分布の重心から算出するが、スリットが一本の場合、試料５０の反射率分布の影響を受けて強度分布の重心が正しい位置からずれ易い一方、スリットが複数本ある場合は重心の位置ずれが小さくなり、高さを検出する誤差が低減するためである。
【００３７】
投影レンズ系７ｃは、収差等の補正のため複数のレンズで構成されることが多いが、本実施形態では簡単のため一個のレンズの場合を例にとって説明する。なお、本開示は投影レンズ系７ｃの構成を限定するものではない。投影レンズ系７ｃはスリット像をｍ０倍拡大して試料５０の表面に結像する。ここで、スリット部７ｂおよび投影レンズ系７ｃの中心は光軸ＯＡを通る。
【００３８】
図３は、検出光学系８の具体的な例を示す図である。図３（ａ）には、検出光学系８の断面図が示され、図３（ｂ）には、屈折部材８ｂの拡大図が示されている。検出光学系８は、試料５０で反射した光線Ｒａｙ１およびＲａｙ２を撮像素子９に導く光学系であり、本実施形態では検出レンズ系８ａと屈折部材８ｂとを備える。検出光学系８は、試料５０で反射した光線Ｒａｙ１およびＲａｙ２を撮像素子９に導く光学系であればよく、この構成に限定されない。
【００３９】
検出レンズ系８ａは、収差等の補正のため複数のレンズで構成することが多いが、本実施形態では簡単のため一個のレンズの場合で説明する。なお、本開示は検出レンズ系８ａの構成を限定するものではない。検出レンズ系８ａは、試料５０で反射したスリット像をｍ倍して撮像素子９に結像する。
【００４０】
光線Ｒａｙ１およびＲａｙ２は、光軸ＯＡから距離ｄｓだけ離れたスリット群Ｓ１およびＳ２から生成された光線である。この距離ｄｓは投影レンズ系７ｃと検出レンズ系８ａとで約ｍ０×ｍだけ拡大されるため、スリット群Ｓ１およびＳ２の像は撮像素子９の受光面より外側に結像されてしまうことが多い。また、受光面に結像されたとしても中心から外れるために、撮像素子９を有効に使えないという課題が生じる。
【００４１】
そのため、検出光学系８には、それぞれの光線を屈折して撮像素子９の中心に結像するように屈折部材８ｂが配置されている。屈折部材８ｂは具体的にはウエッジ基板（またはプリズム）が一例として考えられる。ウエッジ基板は透明な基板であり、光線Ｒａｙ１とＲａｙ２とに対して光を撮像素子９の中心に向けて屈折させるプリズムである。
【００４２】
図３（ｂ）に屈折部材８ｂを構成するウエッジ基板の断面形状を示す。断面形状は一端が厚く、もう一端に向かって徐々に薄くなるような形状である。図３（ａ）に示された屈折部材８ｂは、図３（ｂ）に示されたウエッジ基板を二つ用意し、それぞれが光線Ｒａｙ１とＲａｙ２とに対応して互いに接しながら対称的に配置されている構成である。
【００４３】
ウエッジ基板（またはプリズム）は、屈折部材８ｂの最も簡単な例である。ウエッジ基板は、簡単な形状であるため加工面精度の高い部材が得られやすく光学系への配置も簡易である。そのため、ウエッジ基板を光学系に用いた場合、位置ずれなどのばらつきによる性能低下を抑制できる。なお、屈折部材８ｂはウエッジ基板に限らず、スリット像を屈折して撮像素子９の中心に結像する機能を有すればよい。
【００４４】
撮像素子９は、例えば、ＣＣＤ（Charge Coupled Device）またはＣＭＯＳ（Complementary Metal Oxide Semiconductor）などの画像を撮像できるイメージセンサである。検出レンズ系８ａの中心軸および撮像素子９の中心軸は、光軸ＯＡと一致する。
【００４５】
図４は、光学式高さ検出装置の全体を説明するための図である。以下、図４（ａ）を用いて、光学系全体と光路長補正部材１０とに関して詳細に説明する。この系では、試料５０の高さ変化量ΔＺは、撮像素子９におけるスリット像の移動量ΔＳ、光線の投影(検出)角度θおよび検出レンズ系８ａの倍率ｍを用いて以下の式（１）で与えられる。検出光学系８と接続されたコンピュータは、スリット像の移動量に基づいて試料の高さの変化を検出する。
【数１】
2019190903.tif 000003
【００４６】
光学式高さ検出装置は、光軸ＯＡが基準位置Ｌ１とＬ２の中間位置（以下、この位置を原点Ｏと呼ぶ。）にて反射する経路となるように配置した。つまり、光学式高さ検出装置は、スリット部７ｂにおいて、スリット群Ｓ１およびＳ２をスリット部７ｂの中心（光軸ＯＡが通る位置）に対して対称的に配置し、光軸ＯＡが試料の高さの基準位置Ｌ１およびＬ２の中間位置で反射する経路を通るように構成した。
【００４７】
このように光学式高さ検出装置を構成すると、スリット群Ｓ１を透過した光線Ｒａｙ１は、試料５０の高さが位置Ｌ１にあるときに試料５０の中心（電子光学系の光軸ＥＯＡが試料５０を通る位置）に照射され、スリット群Ｓ２を透過したＲａｙ２は、試料５０の高さが位置Ｌ２にあるときに、試料５０の中心に照射される。
【００４８】
一般に、光軸付近を伝播する光線に対してレンズ系は収差が小さくなるため、光軸付近を伝播する光線で試料を観察した場合に最も良好な画像が得られる。上記の光学式高さ検出装置の構成は、光線Ｒａｙ１またはＲａｙ２の光軸ＯＡからのずれ、つまり、全ての光線の光軸ＯＡからのずれの最大値を、最少とする構成である。そのため、試料５０が位置Ｌ１または位置Ｌ２のどちらにある場合であっても高さ検出の誤差を低減することができる。
【００４９】
本実施形態では、後述するように光路長補正部材１０を導入することによって、スリット部７ｂから撮像素子９までの光線Ｒａｙ１およびＲａｙ２の光路が光軸ＯＡに対して対称となる（図４（ａ）参照）。言い換えると、光線Ｒａｙ１およびＲａｙ２の実効的な光路長が等しくなる。それ故、上述したように屈折部材８ｂの形状を、二つのウエッジ基板を互いに隣接した状態で対称的に配置した形状または構成とすることができる。
【００５０】
光線Ｒａｙ１および光線Ｒａｙ２に対して共通の部材を使うことにより、ウエッジ基板の取り付け間違いや煩雑な光学系の調整が少なくなり、組み立てが容易になる。その結果、光学式高さ検出装置の組み立て時間の短縮および組み付け誤差による性能低下を抑制することができる。
【００５１】
上述のとおり、投影レンズ系７ｃおよび検出レンズ系８ａは、それぞれ、光軸ＯＡ近傍を光が伝播したときに所定の倍率ｍ０およびｍで撮像素子９に結像するように設定されている。仮に実施形態の光学式高さ検出装置と異なり、光線Ｒａｙ２の光路長を実効的に短くする光路長補正部材１０を用いない場合、光線Ｒａｙ１（スリット群Ｓ１から出射）と光線Ｒａｙ２（スリット群Ｓ２から出射）とが、それぞれ位置Ｌ１およびＬ２にある試料５０で反射し、光路長に差が発生した状態で検出レンズ系８ａに入射する。そのため、像の倍率および光軸上で結像する位置（光軸ＯＡに沿った、原点Ｏから結像する位置までの距離、つまり、原点Ｏから撮像素子９までの距離）が光線Ｒａｙ１と光線Ｒａｙ２とで異なるという課題が生じる。
【００５２】
光線Ｒａｙ１と光線Ｒａｙ２とで結像位置が異なる場合、撮像素子９が二つ必要となり、それぞれの撮像素子９に光を導くための光学系が必要となる。また、光線Ｒａｙ１と光線Ｒａｙ２とで像の倍率が異なる場合、それぞれの倍率に合わせた高さ検出アルゴリズムが必要になる上、像の倍率が小さくなる場合は、撮像素子９の解像度が有限であるため、スリット像の解像度が低下する。高さ検出アルゴリズムは、スリット像の強度分布の重心に基づいて試料の高さを検出するため、スリット像の解像度の低下は、高さ検出の精度低下を招く。これらの課題を解決するために、本開示の光学式高さ検出装置では、光路長補正部材１０を光路が長い光線Ｒａｙ２の経路内に導入した。
【００５３】
以下、図４（ｂ）を参照しながら、スリット像の倍率や結像位置がずれる原因について説明する。本実施形態の光学系は、原点Ｏの近傍において光軸、Ｒａｙ１およびＲａｙ２は概ね平行になるように構成されている。これは、光学系を簡易にすることで後述する光路長補正を容易にするためである。より具体的には、光線Ｒａｙ１とＲａｙ２とを空間的に分離し、光路長補正部材１０を片方の光路に対してのみ配置するためである。
【００５４】
図４（ｂ）に示されているように、光線Ｒａｙ２は光線Ｒａｙ１と比べて、２Ｌｄ（≒２ＤＬcosθ）だけ光路が長くなる。一般に、レンズは、物点とレンズ系の前側主点までの距離l1、レンズ系の後側主点と像点までの距離l2と焦点距離ｆとの間に、次式(２)で表されるレンズ結像式が成り立ち、像の倍率はl2 / l1で表される。
【数２】
2019190903.tif 000004
【００５５】
したがって、検出レンズ系８ａより前の光路（光路長l1）が長くなると検出レンズ系８ａから結像する位置（光路長l2）までの光路が短くなり、像の倍率も小さくなる。つまり、光線Ｒａｙ２はＲａｙ１と比べて結像位置が原点Ｏに近い位置になり、さらに、撮像素子９に結像するスリット像も小さくなる。スリット像が小さくなると、解像度が低下して高さ検出精度が低下する。
【００５６】
そのため本開示の光学式高さ検出装置は、光路が長い光線Ｒａｙ２の実効的な光路長を光路長補正部材１０によって補正して、倍率および結像位置（光軸ＯＡに沿った原点Ｏからの距離）を光線Ｒａｙ１に合わせることにより、一個の撮像素子９を用いて所定の検出精度にて複数の高さ検出が可能となるように構成した。以下に、光路が長い光線Ｒａｙ２を補正する方法について図５を参照しながら説明する。
【００５７】
図５は、光線の光路が光路長補正部材によって変化する様子を示す図である。光路長補正部材とは透明な部材であり、例えば、ガラス、アクリルのブロックまたはプリズムなどである。光路差補正は、光路に透明部材（図５では透明な平行平板１０’）があるときに生じる結像位置のずれを利用する。
【００５８】
図５は、厚さｄＰ、屈折率ｎＬの平行平板１０’を光路に設置した場合に結像位置がΔだけ光線の伝播方向に平行移動する様子を示している。光線は、平行平板１０’がない場合位置Ｏ１に到達するが、平行平板１０’があることにより到達位置がΔだけ平行移動して位置Ｏ２に到達する。幾何学的な関係から、Ｓ ＝ ｄＰ ＋ z ＝ ｄＰ ＋ （ｈ − Δｈ) ／ tanθ0で与えられ、Ｓ0 ＝ ｈ／tanθ0で与えられる。したがって、移動量Δ＝Ｓ − Ｓ0は、以下の式（３）で与えられる。
【数３】
2019190903.tif 000005
なお、上記式（３）において、スネルの法則と近軸光学の近似式cosθ0 ≒ １とを用いてΔを近似した。
【００５９】
上記のとおり、厚さｄＰの透明な平行平板１０’を光路内に設置することにより、光路を伝播方向にΔだけ平行移動できる。それ故、光線Ｒａｙ１および光線Ｒａｙ２の光路差がΔである場合は、式(３)に基づいてｄＰを計算し、厚さｄＰの透明部材を長い方の光路に設置することにより実効的に二つの光線の光路長を一致させることができる。
【００６０】
図４（ａ）は光路長補正部材１０として、透明部材であるガラスロッド（円柱形状のガラス）を光路が長いＲａｙ２の光路に設置した例である。ここで、ガラスロッドの長さは式（３）で計算した厚さｄＰである。実施形態の光学式高さ検出装置のガラスロッドは、検出側の真空封止窓１１に隣接して配置し、真空封止窓１１を固定する部材でガラスロッドも同時に固定する構成とした。このように、真空封止窓１１を固定する部品と共用することによって部品点数を減らし、装置の組み立てを簡易にするという効果を奏する。
【００６１】
図４（ａ）に示された光路長補正部材１０の形状は、入射面と出射面とが互いに平行であり且つ透明なガラスロッドであり、最も簡単な光路長補正部材の例である。この光路長補正部材１０は作成が簡易であり、直進している光路に簡単に配置できる。光路長補正部材１０を容易に配置できることは光学系の調整を簡易にし、結果として光学式高さ検出装置の構成部品の位置ずれなどに起因する性能低下を抑制できる。なお、光路長補正部材１０は必ずしも、入射面および出射面が互いに平行である必要はなく、入射面と出射面とがそれぞれ傾斜した面でも良い。
【００６２】
光路長補正部材１０を導入し実効的な光路長を光線Ｒａｙ１と光線Ｒａｙ２とで等しくすることにより、それらの結像位置（光軸ＯＡに沿った原点Ｏから結像する位置までの距離）も等しくすることができる。つまり、光線Ｒａｙ１と光線Ｒａｙ２とでスリット群の倍率も等しくなる。さらに、光線Ｒａｙ１および光線Ｒａｙ２の結像位置が等しいため、図４（ａ）に示されている形状の屈折部材８ｂを配置することで、光線Ｒａｙ１および光線Ｒａｙ２を光軸上の一点に結像することが可能となる。このことは、固定して配置された一つの撮像素子９を用いて、二つの基準（試料５０の高さが位置Ｌ１またはＬ２である）の高さ検出が可能であることを意味する。
【００６３】
つまり、本実施形態の構成は、投影光学系７が空間的に分離した複数の光線を生成し、複数の光線が空間的に分離している位置において、光路長が長い光路（光路長が最も短い光路以外の光路）に光路長補正部材１０を導入することにより、上記複数の光線の結像位置を一致させ、且つスリット像の倍率を一致させるという効果を奏する。
【００６４】
また、実施形態の光学式検出装置は、検出光学系８において屈折部材８ｂを配置することにより、複数の光路から入射した光線を一つの撮像素子９に向けて出射する構成である。光学式検出装置は、当該構成を採用することによって撮像素子９が一つで済み、光学系が複雑にならない。そのため、光学部材の調整が少なく位置ずれなどによる性能低下を抑制するという効果を奏する。
【００６５】
なお、発明者らが検討した結果、ガラスロッドの厚さｄＰは、式（３）の値から多少ずれていても光路補正の効果は得られた。具体的には、式（３）で算出する値から±５０％程度光路長補正部材１０の厚さがずれても、所望の倍率および結像位置でスリットの明暗が解像する。したがって、厚さが適切な範囲内に設計された透明な光路長補正部材１０を光路内に設置すれば光学式高さ検出装置として所望の機能を期待できる。一方、光路長補正部材１０の厚さを式（３）によって算出した値とした場合は、スリット像がさらにくっきりと撮像できる。
【００６６】
また、光路長補正部材１０は検出レンズ系８ａに対して光源側に設置することにより、倍率と結像位置の両方を補正することができるが、検出レンズ系８ａに対して撮像素子９側に設置しても結像位置の補正をすることができる。
【００６７】
＜第１の実施形態の変形例＞
第１の実施形態の、光学式高さ検出装置では、試料５０に対して検出光学系８側に式３に基づいて厚みを設計した光路長補正部材を配置した。光路長補正部材は、式３で決定される厚みｄＰの半分の厚さの光路長補正部材４０を二つ用意して、試料５０に対して投影光学系７側と試料５０に対して検出光学系８側の両方に設置してもよい。
【００６８】
図６は、本変形例の光学式高さ検出装置を示す図である。本変形例の光学式高さ検出装置は、第１の実施形態の光学式高さ検出装置と、光路長補正部材の設計および配置が異なる。上記のとおり、本変形例の光路長補正部材４０は、式３で決定される厚みｄＰの半分の厚さであり、光線Ｒａｙ２の光路上で電子光学系の光軸ＥＯＡに対して両側に二つ配置されている。
【００６９】
このようにすると、光源から試料までの光路長が光線Ｒａｙ１と光線Ｒａｙ２とで実効的に等しくなり、光線Ｒａｙ１と光線Ｒａｙ２とは試料５０上で結像する。それ故、試料５０よりも検出光学系８側のみにて光路長を補正した場合と異なり、より高い精度で試料５０の高さ検出を実行できる。
【００７０】
＜第２の実施形態＞
図７は、第２の実施形態の光学式高さ検出装置を説明するための図である。第１の実施形態と同じ箇所、または、同じ機能を有する箇所に関しては説明を省略する。また、図中で同じ符号の箇所は、同様の機能を有する箇所である。
【００７１】
第２の実施形態の光学式高さ検出装置は、試料の高さの基準が位置Ｌ１〜Ｌ４の四箇所存在し、それぞれの基準位置からの相対的な高さを検出する。以下、電子光学系の光軸ＥＯＡと光軸ＯＡの交点を原点Ｏとする。
【００７２】
投影光学系７は四本の光線Ｒａｙ１〜光線Ｒａｙ４を出射する光学系であり、検出光学系８は試料５０で反射した光線を同一の撮像素子９に導く光学系である。四本の光線は、光線Ｒａｙ１に対して光線Ｒａｙ２、Ｒａｙ３、Ｒａｙ４の順に光路長が長くなっている。そのため、撮像素子９で撮像されるスリット像の倍率および結像位置（光軸に沿った原点Ｏから結像する位置までの距離）を等しくするためには、光路長補正部材２０を用いて光線Ｒａｙ１の光路長と他の光線の光路長とを実効的に合わせる必要がある。
【００７３】
上述の式（３）に示されているとおり、補正すべき光路長Δと光路長補正部材２０内を伝播する距離（平行平板の場合は厚さｄＰ）とは比例関係にあるため、光路長補正部材２０内を伝播する距離は、光線Ｒａｙ２、Ｒａｙ３、Ｒａｙ４の順に長くする必要がある。
【００７４】
図７に示された光路長補正部材２０は、各光線が入射面に対して略垂直に入射し、かつ、出射面から略垂直に出射する形状となっている。上記のとおり、光路長補正部材２０内を伝播する距離は、光線Ｒａｙ２、Ｒａｙ３、Ｒａｙ４の順に長くする必要があるため、光路長補正部材２０の断面形状は階段状に近い形状となっている。
【００７５】
つまり、第２の実施形態の光学式高さ検出装置は、投影光学系７から出射される複数の光線に対応する複数の光路が存在し、最も短い光路を基準として、光路長の増分に対応して長くなる階段形状の光路長補正部材２０を各光路に対応させて配置するという特徴を有する。こうすることにより、第２の実施形態の光学式高さ検出装置は、複数の光線のそれぞれは、スリット像の倍率および結像位置が等しくなる。
【００７６】
上記のとおり、第２の実施形態は、第１の実施形態と同様に、複数の光路が空間的に分離している位置において、光路長が最も短い光路以外の光路に光路長補正部材２０を配置している構成である。
【００７７】
また、第１の実施形態の場合と同様に、光路長補正部材２０は、検出レンズ系８ａに対して光源側に設置した場合、倍率と結像位置の両方を補正することができ、検出レンズ系８ａに対して撮像素子９側に設置した場合は、結像位置の補正をすることができる。
【００７８】
＜第２の実施形態の変形例＞
第２の実施形態の光学式高さ検出装置は、四本の光線を一つの撮像素子９で受光する構成とした。光学式高さ検出装置は、さらに多い本数の光線を射出し、二つ以上の撮像素子９によって試料の高さを検出してもよい。
【００７９】
光学式高さ検出装置は、例えば、投影光学系７が六本の光線を出射し、撮像素子９を二つ用意して、六本の光線のうち、三本ずつ別々の撮像素子９に入射させる構成としてもよい。その場合は、同一の撮像素子９に入射する光線のうち短い光路を基準として、光路長の増分に対応して長くなる光路長補正部材２０を各光路に対応して配置する。こうすると、スリット像の倍率および結像位置を等しくできる。
【００８０】
＜第３の実施形態＞
図８は、第３の実施形態の光学式高さ検出装置を説明するための図である。第１の実施形態と同じ箇所または同じ機能を有する箇所に関しては説明を省略する。また、図中、同じ符号の箇所は、同様の機能を有する箇所である。
【００８１】
図８（ａ）は、第３の光学式高さ検出装置の光学系全体を示す図である。第３の実施形態は、投影光学系７において光線を複数の光線に分離する方法が第１の実施形態とは異なる。第３の実施形態では、投影光学系７’において光線を複数の光線に分離するために複数のスリット群を用いる代わりにハーフミラー７ｄを用いる。ハーフミラー７ｄは、一部の光を反射し、残りの光を透過させる光学部材である。
【００８２】
図８（ａ）において、試料５０の高さの位置Ｌ１を基準とした高さを検出する光線は光線Ｒａｙ１であり、ハーフミラー７ｄを透過し光軸付近を伝播する光線である。図８（ａ）では、光軸ＯＡは光線Ｒａｙ１の光路に一致する。光線Ｒａｙ２は光線Ｒａｙ１からハーフミラー７ｄで分岐され後述する光路長補正部材３０で反射される光線である。
【００８３】
第３の実施形態の光学式高さ検出装置の場合、スリット部７ｂ’は、光軸ＯＡが通る中心に、図２に示したスリット群Ｓ１が一つだけある構成であって、スリット部７ｂ’を通過後は一本の光線（Ｒａｙ１とＲａｙ２の和からなる一本の光線）だけが伝播する構成である。そして、試料５０にはスリット群Ｓ１の像が投影される。
【００８４】
また、第３の実施形態では、検出光学系８において複数の光線を撮像素子９に導く方法が第１の実施形態と異なる。本実施形態では、光線Ｒａｙ２が検出レンズ系８ａに入射する前に、ハーフミラー８ｃを用いて光線Ｒａｙ１と同じ光路を伝播するように反射する。
【００８５】
第３の実施形態の光学式高さ検出装置は、上記の構成を採用することにより、検出側のハーフミラー８ｃを透過した光線Ｒａｙ１およびハーフミラー８ｃにて反射した光線Ｒａｙ２がともに同一の光軸上を伝播する。それ故、光線Ｒａｙ１の投影側のハーフミラー７ｄと検出側のハーフミラー８ｃとの間の光路長と、光線Ｒａｙ２の投影側のハーフミラー７ｄと検出側のハーフミラー８ｃとの間の光路長と、を実効的に等しくした場合、光線Ｒａｙ１および光線Ｒａｙ２は、略等しい位置かつ等しい倍率で同一の撮像素子９に結像する。
【００８６】
第３の実施形態の光学式高さ検出装置では、プリズム形状の光路長補正部材３０を用いて光線Ｒａｙ１および光線Ｒａｙ２の光路長を実効的に等しくする。図８（ｂ）は、光源７ａ側の光路長補正部材３０の詳細を示す図である。光路長補正部材３０は、透明な部材であって、光の伝播方向を変える機能と光路長を補正する機能とを有する。
【００８７】
ハーフミラー７ｄで反射した光線Ｒａｙ２は光路長補正部材３０の入射面３０ａに略垂直に入射し、反射面３０ｃで反射して伝播方向を変え、出射面３０ｂから略垂直に出射する構成である。本実施形態では最も簡単な例として、光線Ｒａｙ２が入射面３０ａおよび出射面３０ｂに対して垂直に入射および出射する例を示した。しかしながら、光学式高さ検出装置の構成は、光線Ｒａｙ２と光路長補正部材３０の入射面３０ａおよび出射面３０ｂが傾きを持った構成でも良い。
【００８８】
本光路長補正部材３０の特徴は、少なくとも一つの反射面３０ｃを持つことである。光線Ｒａｙ２の入射面３０ａに対する入射角度は、光線Ｒａｙ２が反射面３０ｃで全反射する角度となることが望ましい。言い換えると、光線Ｒａｙ２が反射面３０ｃに入射する角度θＲが臨界角度以上となるように、光線Ｒａｙ２が光路長補正部材３０に対して入射することが望ましい。
【００８９】
例えば、金属薄膜による反射は光量の損失を伴うが、透明部材の反射面にて全反射する場合は、光量の損失がない反射（反射率１００％の反射）となる。ただし、本実施形態では全反射を利用するが、光路長補正部材３０は、アルミ膜を反射面３０ｃに形成する構成でもよい。アルミ膜を反射面３０ｃに形成する場合は、光線が反射面３０ｃに入射する角度に制限がなくなり、設計の自由度があがる。
【００９０】
光路長補正部材３０内を光が伝播する距離は図８（ｂ）に示されたＯＰ１＋ＯＰ２である。したがって、投影側のハーフミラー７ｄと検出側のハーフミラー８ｃとの間の光線Ｒａｙ１とＲａｙ２の光路長を実効的に等しくなるようにＯＰ１＋ＯＰ２の長さを、式（３）を用いて設計すれば、実施形態１および２で述べた効果と同様の効果が得られる。
【００９１】
本実施形態の場合では、投影側のハーフミラー７ｄと位置Ｌ１にあるときの試料５０までの光路長ＯＰＲ１と、投影側のハーフミラー７ｄと位置Ｌ２にあるときの試料５０までの光路長ＯＰＲ２とが実効的に等しくなるように長さＯＰ１＋ＯＰ２を設定する。（ＯＰＲ１およびＯＰＲ２については図８（ｃ）参照）つまり、式（３）のΔ＝｜ＯＰＲ１―ＯＰＲ２｜として、長さＯＰ１＋ＯＰ２に対応するｄＰを算出すればよい。このような構成とすることにより、試料５０までの光路長が、試料５０が位置Ｌ１とＬ２にある場合とで実効的に等しくなる。
【００９２】
試料から検出光学系８までについても同様の構成とする。具体的には、図８（ａ）に示すように、上記のように設計された（投影側のハーフミラー７ｄおよび試料５０間の光路に基づいて設計された）光路長補正部材３０およびハーフミラー８ｃを検出側（電子光学系の光軸ＥＯＡに関して反転対称させた位置）にも配置する。以上のように光学式高さ検出装置を構成することによって、投影側のハーフミラー７ｄと検出側のハーフミラー８ｃとの間の光線Ｒａｙ１およびＲａｙ２の光路長を実効的に等しくできる。その結果、光線Ｒａｙ１および光線Ｒａｙ２は、略等しい位置に、等しい倍率で結像する。
【００９３】
なお、本開示は上記した実施例に限定されるものではなく、様々な変形例が含まれる。例えば、上記した実施例は本開示を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００９４】
１：電子顕微鏡
２：電子源
３：ライトガイド
４：受光素子
５：シンチレータ
６：信号粒子制限板
７：投影光学系
８：検出光学系
９：撮像素子
１０、２０、３０、４０：光路長補正部材
１１：真空封止窓
５０：試料
６０：電子光学鏡筒
６１：試料室
１００：一次電子線
１０１：二次粒子
１０２：破線
【図１】
2019190903.tif 000007
【図２】
2019190903.tif 000008
【図３】
2019190903.tif 000009
【図４】
2019190903.tif 000010
【図５】
2019190903.tif 000011
【図６】
2019190903.tif 000012
【図７】
2019190903.tif 000013
【図８】
2019190903.tif 000014